(57)【要約】  光ベース皮膚治療デバイスは、体毛又は皮膚組織のレーザ誘起光学破壊によって皮膚を治療するためのものである。集束システムは、入射光ビームを体毛又は皮膚組織の焦点スポットに集束するための射出集束レンズを有する。このレンズは中央開口部を有する。これは、集束システムに損傷を引き起こすことがあるレンズ表面からの後方反射率を減少させるのに役立つ。
2021511173.tif 000002
【特許請求の範囲】
【請求項１】
体毛又は皮膚組織のレーザ誘起光学破壊によって皮膚を治療するためにパルス入射光ビームを供給するためのレーザ光源と、
前記体毛又は皮膚組織の焦点スポットに前記パルス入射光ビームを集束するための集束システムと
を含む光ベース皮膚治療デバイスであって、
前記集束システムが、１ｍｍ未満の直径をもつ中央開口部を有する射出集束レンズを含む、光ベース皮膚治療デバイス。
【請求項２】
前記レーザ光源が、１０６４ｎｍレーザを含む、請求項１に記載の光ベース皮膚治療デバイス。
【請求項３】
前記レーザ光源が、１ｍＪから１０ｍＪのエネルギーのパルスを送り出す、請求項１又は２に記載の光ベース皮膚治療デバイス。
【請求項４】
前記レーザ光源が、１００ｆｓから１０ｎｓ、例えば、１００ｐｓから１０ｎｓのパルス持続時間をもつパルスを送り出す、請求項１から３のいずれか一項に記載の光ベース皮膚治療デバイス。
【請求項５】
前記中央開口部が、０．５ｍｍ未満の直径を有する、請求項１から４のいずれか一項に記載の光ベース皮膚治療デバイス。
【請求項６】
前記中央開口部が、前記射出集束レンズの面積の５％未満の面積を有するか、又は前記射出集束レンズの有効口径の５％未満を有する、請求項１から５のいずれか一項に記載の光ベース皮膚治療デバイス。
【請求項７】
前記中央開口部が、静的流体で満たされる、請求項１から６のいずれか一項に記載の光ベース皮膚治療デバイス。
【請求項８】
環状パルス入射光ビームを発生するためのビーム整形構成部を含む、請求項１から７のいずれか一項に記載の光ベース皮膚治療デバイス。
【請求項９】
前記ビーム整形構成部が、
空間光変調器、
位相マスク、
ブランキングマスク、
ホログラフィックプレート、又は
グレーティング
を含む、請求項８に記載の光ベース皮膚治療デバイス。
【請求項１０】
体毛又は皮膚組織のレーザ誘起光学破壊によって皮膚を治療するためにパルス入射光ビームを供給するステップと、
１ｍｍ未満の直径をもつ中央開口部を有する射出集束レンズを使用して集束させることによって、前記体毛又は皮膚組織の焦点スポットに前記パルス入射光ビームを集束させるステップと
を有する、光ベース皮膚治療方法。
【請求項１１】
前記パルス入射光ビームを供給するステップが、１０６４ｎｍレーザ光を供給するステップを有する、請求項１０に記載の光ベース皮膚治療方法。
【請求項１２】
前記パルス入射光ビームを供給するステップが、１ｍＪから１０ｍＪのエネルギーのパルスを送り出すステップを有する、請求項１０又は１１に記載の光ベース皮膚治療方法。
【請求項１３】
前記パルス入射光ビームを供給するステップが、１００ｆｓから１０ｎｓ、例えば、１００ｐｓから１０ｎｓのパルス持続時間をもつパルスを送り出すステップを有する、請求項１０、１１、又は１２に記載の光ベース皮膚治療方法。
【請求項１４】
環状パルス入射光ビームを発生するステップを有する、請求項１０から１３のいずれか一項に記載の光ベース皮膚治療方法。
【請求項１５】
０．５ｍｍ未満の直径をもつ中央開口部を有する射出集束レンズを使用するステップを有する、請求項１０から１４のいずれか一項に記載の光ベース皮膚治療方法。
【発明の詳細な説明】
【技術分野】
【０００１】
本発明は光ベース皮膚治療デバイスに関する。デバイスは、光源、光学系、及び透明な射出窓を含む。光源は、体毛又は皮膚組織のレーザ誘起光学破壊（ＬＩＯＢ）による皮膚の治療のために入射光ビームを供給する働きをする。透明な射出窓により、入射光ビームはデバイスから出ることができる。光学系は、皮膚治療デバイスの外の体毛又は皮膚組織の焦点スポットに入射光ビームを集束させるために設けられる。
【背景技術】
【０００２】
そのような光ベース皮膚治療デバイスは、例えば、しわ治療及び体毛カットに使用される。光ベースしわ治療では、デバイスは、治療されるべき皮膚の真皮層に焦点スポットを作り出す。レーザのパワー及びパルス持続時間並びに焦点スポットの寸法は、皮膚組織の再成長を刺激し、それによって、しわを減らすために、レーザ誘起光学破壊（ＬＩＯＢ）現象が皮膚に影響を与えるように選択される。光ベース体毛カットでは、入射光ビームは体毛の内部に集束され、ＬＩＯＢ現象により体毛が切断される。
【０００３】
例えば、ＷＯ２００５／０１１５１０として公開された国際特許出願は、所定のパルス時間の間レーザビームを発生するためのレーザ源、レーザビームを焦点スポットに集束させるための光学系、及び焦点スポットを目標位置に位置付けるためのレーザビームマニピュレータを含む、体毛を短くするためのデバイスを説明している。焦点スポットの寸法及び発生されたレーザビームのパワーは、焦点スポットにおいて、レーザビームが、体毛組織の特有の閾値より高いパワー密度を有するようなものであり、その閾値を上回ると、所定のパルス時間の間、レーザ誘起光学破壊（ＬＩＯＢ）現象が体毛組織で生じる。ＷＯ２００８／００１２８４は、さらなる詳細を開示しており、例えば、レーザビーム要件と、射出レンズの開口数などの必要とされる集束システム特性とを論じている。
【０００４】
一般に、レーザ誘起光学破壊（ＬＩＯＢ）は、レーザビームの波長に対して透明又は半透明の媒体において、焦点スポットにおけるレーザビームのパワー密度（Ｗ／ｃｍ２）が特定の媒体に特有の閾値を超えるときに生じる。閾値より下では、特定の媒体は、レーザビームの特定の波長に対して比較的低い線形吸収特性を有する。閾値より上では、媒体は、レーザビームの特定の波長に対して、媒体のイオン化及びプラズマの形成の結果である強い非線形吸収特性を有する。このＬＩＯＢ現象は、キャビテーション、及び衝撃波の発生などのいくつかの機械的影響をもたらし、それは、ＬＩＯＢ現象の位置を囲む位置にある媒体を損傷する。
【０００５】
ＬＩＯＢは、高強度サブナノ秒（又はいわゆるピコ秒）レーザパルスを利用して、皮膚の多光子吸収に必要な高い光子束を発生する。非線形ＬＩＯＢプロセスは、光学破壊で必要とされる強度閾値を超える極端に高い光子束が高開口数（ＮＡ）集束によって焦点で発生されるとき、焦点ボリュームにおいてのみ生じる。
【０００６】
ＬＩＯＢベース皮膚治療デバイスは、クラス４レーザを使用し、それは、ユーザにとって潜在的に危険である。それゆえに、ユーザ及び高価なデバイスの安全性を保証する安全手段を含むことが重要である。
【０００７】
伝統的に、ＬＩＯＢは、基本ガウスＴＥＭ００モードを利用し、ビームの光学強度の横プロファイルは、ガウス関数で記述される。ガウスビームでは、ピーク強度、すなわち、ビーム軸上の強度は、パワーを実効モード面積（実効モード面積＝πｗ２、ここで、ｗはモード半径である）で除算したものの２倍である。ＴＥＭ００ガウスビームがＬＩＯＢを作り出すために使用される場合、射出集束レンズは、皮膚からの後方反射率に起因して、特にピーク強度に対応するビームの中心でしばしば損傷される。
【０００８】
損傷したレンズは、不十分な治療効果、及びユーザにとって望ましくない副作用をもたらすことがある。特に、損傷した射出窓は、デバイスが所望の位置に十分にタイトな焦点を提供する能力に有害な影響があり、それが、治療プロセスの効果を低減させることがあり、及び／又は皮膚の炎症などの有害な副作用の発生を増加させることがある。表面損傷が真皮の上に作り出される場合、点状出血（微小出血）が毛細管の微小破裂に起因して生じ、それは、効果の減少、副作用の増加、及び社会的ダウンタイムをもたらすことになる。
【０００９】
多くの能動的安全システムが過去に報告されているが、それらは故障の影響を受けやすく、また、それらはかなり複雑であり、それゆえに、高価であることがある。
【００１０】
代替のオプションは、ガウシアン−トップハットコンバータを使用して、単一モードガウスレーザビームプロファイルをフラットトップレーザビームプロファイルに変換することである。
【発明の概要】
【発明が解決しようとする課題】
【００１１】
ガウス及びトップハット強度プロファイルと比較して、デバイス及びユーザの安全性をさらに高めるために、より簡単で、受動的で、堅牢なシステムの必要性が依然として存在する。
【課題を解決するための手段】
【００１２】
本発明は、特許請求の範囲によって定義される。
【００１３】
本発明の第１の態様による例は、光ベース皮膚治療デバイスを提供し、光ベース皮膚治療デバイスは、
体毛又は皮膚組織のレーザ誘起光学破壊によって皮膚を治療するためにパルス入射光ビームを供給するためのレーザ光源と、
パルス入射光ビームを体毛又は皮膚組織の焦点スポットに集束するための集束システムと
を含み、
集束システムは、排気されたか又は空気で満たされた中央開口部を有する射出集束レンズを含む。
【００１４】
射出レンズの開口部は、環状整形された集束ビームを作り出す。皮膚表面におけるレーザ光のピーク放射照度は、ガウスビームプロフィールではなくてリングにレーザエネルギーを分散させることによって低下する。これは、ガウス強度プロファイルを使用して達成されるように焦点ボリュームに光子束を保持しながら、皮膚の任意の所与のポイントの強度を低下させる。これにより、ビームの中央のピーク強度に起因する後方反射光が低減する。これにより、接触窓又は射出レンズの損傷及び潜在的な皮膚の損傷が防止され、それによって、ＬＩＯＢベース皮膚治療の安全性及び効果が改善される。
【００１５】
焦点領域の同じ光子束の場合、環状照明は、ビームの軸上に最大強度があるガウス照明と比較して、レーザパワーが最小であるビームの軸上に沿って皮膚から後方反射された低下したレベルの光を発生する。
【００１６】
レーザ光源は、１０６４ｎｍレーザを含むことが好ましい。これにより、皮膚の内部の吸収及び散乱が低下し、それにより、浸透深度が大きくなる。
【００１７】
レーザ光源は、例えば、１ｍＪから１０ｍＪのエネルギー及び１００ｆｓから１０ｎｓ、例えば、１００ｐｓから１０ｎｓのパルス持続時間のパルスを送り出すように構成される。これにより、ＬＩＯＢに適したエネルギーレベルが提供される。
【００１８】
射出集束レンズは、システムの安全な動作のために所望のポイントに効果的なタイトな集束を行う高い開口数を有することが好ましい。
【００１９】
開口部は、例えば、１ｍｍ未満、例えば０．５ｍｍ未満の直径を有する。
【００２０】
開口部は、例えば、射出集束レンズの面積の５％未満の面積を有するか、又は射出集束レンズの有効口径の５％未満を有する。
【００２１】
デバイスは、環状パルス入射光ビームを発生するためのビーム整形構成部を含む。
【００２２】
ビーム整形構成部は、空間光変調器、位相マスク、ブランキングマスク、ホログラフィックプレート、又はグレーティングを含む。
【００２３】
所望の環状ビームを作り出すための様々なオプションがある。
【００２４】
本発明は、さらに、光ベース皮膚治療方法を提供し、この方法は、
体毛又は皮膚組織のレーザ誘起光学破壊によって皮膚を治療するためにパルス入射光ビームを供給するステップと、
１ｍｍ未満の直径をもつ中央開口部を有する射出集束レンズを使用して集束することによって、体毛又は皮膚組織の焦点スポットにパルス入射光ビームを集束するステップと
を有する。
【００２５】
パルス入射光は、１ｍＪから１０ｍＪのエネルギー及び１００ｆｓから１０ｎｓ、例えば１００ｐｓから１０ｎｓの持続時間のパルスを有する１０６４ｎｍレーザ光である。
【００２６】
この方法は、環状パルス入射光ビームを発生するステップを有する。
【００２７】
これらの方法は、皮膚若返り又は体毛除去のための健康維持用でない方法、特に、美容方法である。
【００２８】
本発明の例が、次に、添付の図面を参照して詳細に説明される。
【図面の簡単な説明】
【００２９】
【図１】知られているＬＩＯＢ皮膚治療デバイスを概略的に示す図である。
【図２】知られている集束レンズをより詳細に示す図である。
【図３】後方反射からの損傷を減少させるためにビーム整形を実施するための１つの可能なやり方を示す図である。
【図４】本発明による知られている集束レンズをより詳細に示す図である。
【図５】レーザ治療方法を示す図である。
【発明を実施するための形態】
【００３０】
本発明が、図を参照して説明される。
【００３１】
詳細な説明及び具体的な例は、装置、システム、及び方法の例示的な実施形態を示しているが、単なる例示を目的とするものであり、本発明の範囲を限定するものではないことを理解すべきである。本発明の装置、システム、並びに方法のこれら及び他の特徴、態様、利点は、以下の説明、添付の特許請求の範囲、及び添付の図面からよりよく理解されるようになるであろう。図は、単に概略であり、一定の縮尺で描かれないことを理解すべきである。同じ又は同様の部分を示すために、同じ参照番号が図の全体にわたって使用されることも理解すべきである。
【００３２】
本発明は、体毛又は皮膚組織のレーザ誘起光学破壊によって皮膚を治療するための光ベース皮膚治療デバイスを提供する。集束システムは、入射光ビームを体毛又は皮膚組織の焦点スポットに集束するための射出集束レンズを有する。このレンズは中央開口部を有する。これは、集束システムに損傷を引き起こすことがあるレンズ表面からの後方反射率を減少させるのに役立つ。
【００３３】
本発明を詳細に説明する前に、本発明が関連するデバイスのタイプの１つの例の概要が与えられる。
【００３４】
図１は、表面５を有する皮膚３の治療のためのシステム１を示す。
【００３５】
システム１は、少なくとも所定のパルス時間の間レーザビーム１１を発生するための光源９を含み、システム１には、レーザビーム１１を焦点スポット１５に集束し、光源９からの光に対して少なくとも部分的に透明である皮膚３内の目標位置に焦点スポット１５を位置付けるための光学系１３が含まれる。
【００３６】
図１に概略的に示された光学系１３の例は、ビーム偏向及び二色性ビームスプリッティングシステム１７と、収差補正システム１９と、ビーム走査システム２１と、集束システム２３とを含み、これらのシステムは、１つ又は複数のミラー、プリズム、ビームスプリッタ、偏光子、光ファイバ、レンズ、開口部、シャッタなどを含む。例えば、走査システムは、走査プリズムを含む。
【００３７】
集束システムは、集束深度選択と、ビーム整形及び集束と、接触／出力窓とを有する。接触／出力窓の接触を維持するために輪郭追従サスペンションがある。
【００３８】
光学系１３の少なくとも一部及び／又はレーザビーム１１のビーム経路は、例えば眼の安全のために、取り囲まれていてもよく、例えば、不透明なチューブ及び／又は１つ又は複数の光ファイバを含む。
【００３９】
光源９は、所定の波長で、所定のパルス持続時間及び繰り返しレートをもつ所定の数のレーザパルスを放出するように構成される。システム１は、焦点スポット１５の目標位置が皮膚の表面の真下にあるように構成可能である。焦点スポット１５の寸法及び発生されたレーザビームのパワーは、焦点スポット１５において、レーザビーム１１が、皮膚組織の特有の閾値より高いパワー密度を有するようなものであり、その閾値を上回ると、所定のパルス時間の間、レーザ誘起光学破壊事象が生じる。
【００４０】
レーザ源９と、ビーム偏向及び二色性ビームスプリッティングシステム１７との間にアーティキュレーティングアームが存在する。ビーム偏向システム１７及び後続の構成要素は、ハンドピースの一部を形成する。アーティキュレーティングアームのミラーの位置合わせエラーのために、ビームは、アーティキュレーティングアームに入る前に拡大され、次いで、その後、ビームステアリング及び収差補正の前に圧縮されることがある。
【００４１】
皮膚３は、異なる光学的特性をもつ多数の層を含む。表皮は、最外層によって構成され、防水性保護バリアを形成する。表皮の最外層は角質層であり、それは、粗さの微視的な変動により、デバイス１と皮膚３との間の光の結合を妨げる。このため、集束システムと皮膚との間に、皮膚及び／又は集束システムの射出レンズの屈折率と一致させることを目的とする屈折率をもつ結合流体を供給することが好ましい。
【００４２】
表皮の下に、真皮がある。真皮には、皮膚治療が目的としているコラーゲン線維が含まれる。
【００４３】
システムの１つの例示の使用では、皮膚治療の目的は、新しいコラーゲン形成をもたらす微視的損傷を作り出すために、真皮のコラーゲン内にパルスレーザビーム１１の焦点１５を作り出すことである。
【００４４】
光源９は、ユーザインタフェースを備えるオプションのコントローラ２５により制御可能である。さらに、光学系１３の１つ又は複数の部分は、オプションのコントローラ（図示せず）により制御可能とすることができ、オプションのコントローラは、目標位置及び／又は焦点スポットの１つ又は複数の特性を制御するために光源コントローラ２５に統合されてもよい。
【００４５】
レーザビーム集束パラメータは、ビーム整形及び／又は集束システムの適切な設定によって、例えば、集束システムの開口数の調節によって決定される。光学系は、少なくとも０．２、好ましくは少なくとも０．４、より好ましくは少なくとも０．６の開口数を有する。開口数のそのような値は、上を覆う皮膚層、特に、表皮の安全性に関連する。
【００４６】
適切な光源には、約１０６４ｎｍの波長で約１００ｐｓから１０ｎｓのパルス持続時間のレーザパルスを放出するＱスイッチＮｄ：ＹＡＧレーザが含まれる。この範囲では、ＬＩＯＢによって発生されるプラズマは、非常に局所的であり、すなわち、空間広がりが小さく、それにより、周囲の組織への意図しない損傷のリスクが最小限にされる。さらに、ＬＩＯＢを得るのに必要とされるピークパワーは、この範囲ではパルス時間と実質的に無関係である。しかしながら、例えば約１００ｆｓから１００ｐｓの範囲の他のパルス時間を使用することもできる。
【００４７】
パルスエネルギーは、１ｍＪから１０ｍＪである。
【００４８】
射出レンズ５０は、高ＮＡ集束レンズである。
【００４９】
１０６４ｎｍは、皮膚の内部の吸収及び散乱が比較的低く、そのために、大きい浸透深度が与えられるので、治療に使用するのに好ましい。他のレーザ、例えば、Ｎｄ：Ｃｒ：ＹＡＧ３準位レーザ、及び／又はダイオードレーザを同様に使用することができる。別の例は、１６４５ｎｍの放出を有するＥｒ：ＹＡＧレーザである。
【００５０】
ビーム偏向及び二色性ビームスプリッティングシステム１７は、レーザ光を反射するが、可視波長光を通過させる二色性ビームスプリッタを含む。したがって、皮膚３からの受け取った可視波長光は、光学系によって捕捉され、フィードバック信号１１’として供給され、フィードバック信号１１’は、システムを手動で又は自動で制御するために使用される。
【００５１】
集束システム２３によって提供される集束深度は調節可能であることが好ましい。
【００５２】
図２は、従来の射出集束レンズ３０による集束システムを示しており、射出集束レンズ３０は、集束されたレーザパルスを皮膚３に供給し、それによって、焦点１５にＬＩＯＢを作り出す。強度プロファイルがプロット３２として示されており、高強度の中央部分３４及び低強度の環状帯３６がある。
【００５３】
最初の直接後方反射光は、集束レンズ３０の射出表面からのものであり、図２に示すように、皮膚の前に多数の層３０Ａ、３０Ｂ、３０Ｃがある場合、各層は、後方反射光に寄与する。入射光線及び直接反射光線が、矢印３８で示されている。レンズの集束機能によって曲げられた光線は、直接後方反射光に寄与しない。
【００５４】
層３０Ａ、３０Ｂ、３０Ｃは、例えば、皮膚への光学結合を改善するために供給され、極性及び無極性物質の混合物を含むゲルと、透明なフォイルと、オイルとを含む。そのような追加の層の使用は、例えば、ＷＯ２０１３／１２８３８０に、より詳細に説明されている。
【００５５】
上記のように、ガウシアン−トップハットコンバータを図３に示すように使用して、単一モードガウスレーザビームプロファイル４０をフラットトップレーザビームプロファイル４２に変換することができる。
【００５６】
図４は、射出焦点レンズ５０が中央開口部５２を含むように変更されている本発明の手法を示す。簡単にするために、追加の結合層は図４には示されていないが、それらは、当然、存在してもよい。
【００５７】
典型的には、レンズ５０の口径全体の真下には浸漬液によるアンダーフィリングが存在する。これは、レンズの有効口径が最大の実際のレンズ口径よりも小さいことを意味する。
【００５８】
中央開口部は、例えば、レンズの有効口径（直径）に基づく面積の数パーセントしかない面積を有する。一般に、この面積は、５％未満であり、例えば、０．２５％から５％の範囲内などである。例えば、４ｍｍの実際のレンズ口径では、有効口径は、３．６ｍｍ（したがって、面積１０．２ｍｍ２）であり、中央の孔の直径は、例えば０．２〜０．４ｍｍ（したがって、面積０．０３ｍｍ２から０．５０ｍｍ２）の範囲である。
【００５９】
開口部は、中央の非常に小さい領域のピーク強度に起因するレンズ損傷を防止するためのものである。
【００６０】
開口部は、一般に、空気で満たされる。開口部は、レンズと皮膚との間の浸漬液で満たされることがあるが、１ｍｍ未満の直径（より一般的には、０．５ｍｍ未満の直径）の開口部の小さいサイズのために、浸漬液で満たされる可能性は低い。
【００６１】
開口部が浸漬液で満たされる場合でも、後方反射損傷は、いずれにしても、ギャップの浸漬液に限定され、それは問題ではない。これは、満たされる有効口径と比較して、中央開口部の直径が非常に小さいからである。
【００６２】
したがって、開口部は、空気、又はレンズ浸漬液若しくは結合媒体で満たされる。好ましくは、開口部は、レンズとは異なる屈折率を有する流体（液体又は気体）で満たされ、その結果、流体は、同じレンズ集束機能を実行しない。開口部は、さらに、排気され、その後、封止されてもよい。したがって、開口部は、開放されていてもよく、又は密閉されていてもよい。
【００６３】
開口部の流体は静的である。したがって、開口部は、流路として機能するのではなくて、代わりに、レンズ機能への遮断物として機能する。開口部は、例えば、レンズ屈折率とは異なる屈折率を有する静的媒体、例えばレーザ光の波長で１．３未満の屈折率をもつ媒体で満たされる。
【００６４】
強度プロファイルが、プロット５４として示され、低強度の中央部分５６と、中間強度のリング５８と、中間強度のリングの中央の高強度のリングとがある。当然、これは、強度プロファイルが不連続ではなく滑らかであるので、一般概念である。高強度部分は、中央の円からより大きい直径の環状リングに変換され、したがって、ピーク放射照度は減少するが、全体の光束は維持される。
【００６５】
これにより、接触窓／射出レンズの損傷及び潜在的な皮膚の損傷が防止され、それによって、ＬＩＯＢベース皮膚治療の安全性及び効果が改善される。この設計により、ビームの軸上に沿って皮膚から後方反射される光のレベルが低下する。
【００６６】
レーザビームパルスは、円形の断面形状を有する。円形ビームを使用すると、エネルギーの損失がもたらされるが、これは極めてわずかである。
【００６７】
代わりに、レーザビームは射出集束レンズ５０に到達する前に整形されて、環状レーザビームが形成されてもよい。ビーム整形構成部６４が、図４に概略的に示されている。このようにして、集束ビームに寄与しない無駄なレーザエネルギーは存在しない。環状ビームは、例えば空間光変調器、位相マスク、ブロッキングマスク、ホログラフィックプレート、又はグレーティングを使用する波面制御の採用による多くの異なる知られたやり方で作り出すことができる。
【００６８】
変換損失を最小にし、低コストであり、システムの許容差の影響を最も受けにくいビーム整形解決策が選ばれる。
【００６９】
皮膚治療には、体毛除去シェービングプロセスが含まれる。使用中、集束システム２３は、そり落とされるべき皮膚表面上を移動される。集束システムは、入射光ビームがデバイスを出られるようにするための射出窓を形成する。次いで、集束システムは光学ブレードを形成する。
【００７０】
皮膚治療には、通常の老化作用の結果として人間の皮膚に現われるしわを減らすための皮膚の若返りが含まれる。使用中、集束要素は、治療されるべき皮膚に押しつけられるか又は皮膚の近くに維持される。集束システムによって形成された射出窓は、皮膚と平行に保持され、入射光ビームは、射出窓を出て、皮膚表面に実質的に垂直な方向で皮膚に入る。
【００７１】
両方の例において、浸漬液が、集束システムと皮膚表面との間に供給される。好ましくは、集束システム２３の皮膚接触レンズ及びＬＩＯＢが行われるべき皮膚又は体毛の屈折率に近い屈折率をもつ浸漬液が使用される。この目的には、約１．４から約１．５の屈折率をもつ流体が適切である。また、水は、やや低い１．３３の屈折率を有するが、デバイス及び用途によっては、適切な浸漬液となることがある。
【００７２】
図１のシステムは、レーザと集束システムとの間に光学構成要素の１つの特定のセットを有する。しかしながら、この構成は、限定することを意図していない。本発明のフィードバックシステムは、より少ない又はより多い数の構成要素をもつ様々なシステム構成で使用することができる。
【００７３】
図５は、光ベース皮膚治療方法を示し、この方法は、
ステップ７０において、体毛又は皮膚組織のレーザ誘起光学破壊によって皮膚を治療するためにパルス入射光ビームを供給するステップ、及び
ステップ７２において、中央開口部を有する射出集束レンズを使用して集束することによって、体毛又は皮膚組織の焦点スポットに入射光ビームを集束するステップ
を有する。
【００７４】
上記の実施形態は、本発明を限定するのではなく例示していること、及び、当業者は、添付の特許請求の範囲の範囲から逸脱することなく多くの代替の実施形態を立案できることに留意されたい。特許請求の範囲において、括弧間に置かれたいかなる参照符号も、請求項を限定するものとして解釈されるべきでない。「含む、備える、有する」という動詞及びその活用の使用は、請求項に記載されているもの以外の要素又はステップの存在を排除しない。単数形は、複数のそのような要素の存在を排除しない。本発明は、いくつかの別個の要素を含むハードウェアによって、及び適切にプログラムされたコンピュータによって実施される。いくつかの手段を列挙している装置請求項では、これらの手段のうちのいくつかは、ハードウェアの全く同一のアイテムによって具現化されてもよい。特定の手段が互いに異なる従属請求項に列挙されているという単なる事実は、これらの手段の組合せを有利に使用できないことを示していない。
【図１】
2021511173.tif 000003
【図２】
2021511173.tif 000004
【図３】
2021511173.tif 000005
【図４】
2021511173.tif 000006
【図５】
2021511173.tif 000007
【国際調査報告】
2021511173.tif 000008
2021511173.tif 000009
2021511173.tif 000010